(57)【要約】【課題】  ネットワーク上の画像処理装置に対して公開されたサービスに対応する機能を、当該機能を実行できない他の画像処理装置が利用し、その機能を実行させた結果を受信可能とすることにより、システム全体の効率化を図ることができる。【解決手段】  ネットワークに接続されている画像処理装置が公開しているサービスの検索指示を行う。指示に基づき検索されたネットワークに接続されている画像処理装置が公開している複数種類の機能を示す機能情報を取得する。取得した機能情報を表示し、その表示された機能情報に基づく機能群から少なくとも１つを指定する。指定された機能に基づいて読み取った画像データを、ネットワークを介して当該機能を実行可能な第１画像処理装置に送信する。送信に応じて第１画像処理装置において、送信した画像データを用いて指定された機能を実行させた結果を受信する。【選択図】  図１
2006246531.tif 000002
【特許請求の範囲】
【請求項１】
原稿画像を読み取り、当該原稿画像に対応する画像データを生成する読取手段を有し、前記読取手段で生成した画像データを用いて実行可能な機能を有する第１画像処理装置とネットワークを介して接続された画像処理装置であって、
前記ネットワークに接続されている画像処理装置が公開しているサービスの検索指示を行う指示手段と、
前記指示手段による指示に基づき検索された前記ネットワークに接続されている画像処理装置が公開している複数種類の機能を示す機能情報を取得する取得手段と、
前記取得手段で取得した機能情報を表示する機能情報表示手段と、
前記機能情報表示手段で表示された機能情報に基づく機能群から少なくとも１つを指定する指定手段と、
前記指定手段で指定された機能に基づいて前記読取手段で読み取った画像データを、前記ネットワークを介して当該機能を実行可能な前記第１画像処理装置に送信する送信手段と、
前記送信手段による送信に応じて前記第１画像処理装置において前記送信手段で送信した画像データを用いて前記指定された機能を実行させた結果を受信する受信手段と
を有することを特徴とする画像処理装置。
【請求項２】
前記機能表示手段は、サービス内容及び当該サービスの利用の可否を表示する
ことを特徴とする請求項１に記載の画像処理装置。
【請求項３】
前記機能表示手段は、サービス内容及び当該サービスを実行するターゲット名を表示する
ことを特徴とする請求項１または２に記載の画像処理装置。
【請求項４】
前記受信手段は、前記指定手段で指定された機能がオリジナルデータの特定に係る機能であった場合、前記送信手段で送信した画像データに対応するオリジナルデータの識別情報を受信する
ことを特徴とする請求項１乃至３のいずれか１項に記載の画像処理装置。
【請求項５】
前記受信手段は、前記指定手段で指定された機能がオリジナルデータの特定に係る機能であった場合、前記送信手段で送信した画像データに対応するオリジナルデータを受信する
ことを特徴とする請求項１乃至４のいずれか１項に記載の画像処理装置。
【請求項６】
前記受信手段は、前記指定手段で指定された機能がオリジナルデータの特定に係る機能であった場合、前記送信手段で送信した画像データに対応するオリジナルデータの概略を示す画像データを受信する
ことを特徴とする請求項１乃至５のいずれか１項に記載の画像処理装置。
【請求項７】
画像データを送信可能な第２画像処理装置とネットワークを介して接続された画像処理装置であって、
前記ネットワークを介して前記第２画像処理装置から指示されたサービス検索要求に応じて自身で実行可能な機能を示す機能情報を送信する機能情報送信手段と、
前記機能情報送信手段で送信した機能情報に基づき前記第２画像処理装置に指定された機能に基づき前記第２画像処理装置から画像データを受信する受信手段と、
前記受信手段で受信した画像データを、前記第２画像処理装置に指定された機能情報に基づき処理する処理手段と、
前記処理手段で処理した結果である結果情報を、前記第２画像処理装置に送信する結果送信手段と
を有することを特徴とする画像処理装置。
【請求項８】
前記第２画像処理装置に指定された機能がオリジナルデータの特定に係る機能であった場合、前記処理手段は、前記受信手段で受信した画像データに対応するオリジナルデータの識別情報を解析し、前記結果送信手段は解析された識別情報を送信する
ことを特徴とする請求項７に記載の画像処理装置。
【請求項９】
前記第２画像処理装置に指定された機能がオリジナルデータの特定に係る機能であった場合、前記処理手段は、前記受信手段で受信した画像データに対応するオリジナルデータを検索し、前記結果送信手段は検索されたオリジナルデータを送信する
ことを特徴とする請求項７または８に記載の画像処理装置。
【請求項１０】
原稿画像を読み取り、当該原稿画像に対応する画像データを生成する読取手段を有し、前記読取手段で生成した画像データを用いて実行可能な機能を有する第１画像処理装置とネットワークを介して接続された画像処理装置の制御方法であって、
前記ネットワークに接続されている画像処理装置が公開しているサービスの検索指示を行う指示工程と、
前記指示工程における指示に基づき検索された前記ネットワークに接続されている画像処理装置が公開している複数種類の機能を示す機能情報を取得する取得工程と、
前記取得工程で取得した機能情報を表示する機能情報表示工程と、
前記機能情報表示工程で表示された機能情報に基づく機能群から少なくとも１つを指定する指定工程と、
前記指定工程で指定された機能に基づいて前記読取手段で読み取った画像データを、前記ネットワークを介して当該機能を実行可能な前記第１画像処理装置に送信する送信工程と、
前記送信工程における送信に応じて前記第１画像処理装置において前記送信工程で送信した画像データを用いて前記指定された機能を実行させた結果を受信する受信工程と
を有することを特徴とする画像処理装置の制御方法。
【請求項１１】
画像データを送信可能な第２画像処理装置とネットワークを介して接続された画像処理装置の制御方法であって、
前記ネットワークを介して前記第２画像処理装置から指示されたサービス検索要求に応じて自身で実行可能な機能を示す機能情報を送信する機能情報送信工程と、
前記機能情報送信工程で送信した機能情報に基づき前記第２画像処理装置に指定された機能に基づき前記第２画像処理装置から画像データを受信する受信工程と、
前記受信工程で受信した画像データを、前記第２画像処理装置に指定された機能情報に基づき処理する処理工程と、
前記処理工程で処理した結果である結果情報を、前記第２画像処理装置に送信する結果送信工程と
を有することを特徴とする画像処理装置の制御方法。
【請求項１２】
原稿画像を読み取り、当該原稿画像に対応する画像データを生成する読取手段を有し、前記読取手段で生成した画像データを用いて実行可能な機能を有する第１画像処理装置とネットワークを介して接続された画像処理装置の制御を行うための、コンピュータ可読記録媒体に記録されるプログラムであって、
前記ネットワークに接続されている画像処理装置が公開しているサービスの検索指示を行う指示工程のプログラムコードと、
前記指示工程における指示に基づき検索された前記ネットワークに接続されている画像処理装置が公開している複数種類の機能を示す機能情報を取得する取得工程のプログラムコードと、
前記取得工程で取得した機能情報を表示装置に表示させる機能情報表示工程のプログラムコードと、
前記機能情報表示工程で表示された機能情報に基づく機能群から少なくとも１つを指定する指定工程のプログラムコードと、
前記指定工程で指定された機能に基づいて前記読取手段で読み取った画像データを、前記ネットワークを介して当該機能を実行可能な前記第１画像処理装置に送信する送信工程のプログラムコードと、
前記送信工程における送信に応じて前記第１画像処理装置において前記送信工程で送信した画像データを用いて前記指定された機能を実行させた結果を受信する受信工程のプログラムコードと
を有することを特徴とするプログラム。
【請求項１３】
画像データを送信可能な第２画像処理装置とネットワークを介して接続された画像処理装置の制御を行うための、コンピュータ可読記録媒体に記録されるプログラムであって、
前記ネットワークを介して前記第２画像処理装置から指示されたサービス検索要求に応じて自身で実行可能な機能を示す機能情報を送信する機能情報送信工程のプログラムコードと、
前記機能情報送信工程で送信した機能情報に基づき前記第２の画像処理装置に指定された機能に基づき前記第２画像処理装置から画像データを受信する受信工程のプログラムコードと、
前記受信工程で受信した画像データを、前記第２画像処理装置に指定された機能情報に基づき処理する処理工程のプログラムコードと、
前記処理工程で処理した結果である結果情報を、前記第２画像処理装置に送信する結果送信工程のプログラムコードと
を有することを特徴とするプログラム。
【発明の詳細な説明】
【技術分野】
【０００１】
本発明は、原稿画像を読み取り、当該原稿画像に対応する画像データを生成する読取手段を有し、前記読取手段で生成した画像データを用いて実行可能な機能を有する第１画像処理装置とネットワークを介して接続された画像処理装置及びその制御方法、プログラムに関するものである。
【背景技術】
【０００２】
従来の技術としては、特許文献１で開示される画像形成装置がある。
【０００３】
この特許文献１には、例えば、画像データをサーバに管理しておき、その画像データに対応する画像を印刷用紙を画像形成装置で印刷する場合には、その印刷用紙の１枚目のみに、その画像データの管理先を示すバーコードを印刷した印刷物を生成しておく。そして、別の機会に、その印刷物を画像形成装置のスキャナ機能とプリンタ機能を用いて複写する場合には、その印刷物のバーコード部分をスキャナ機能で読み取り、読み取ったバーコードによって特定されるその印刷物に対応するオリジナルデータ（画像データ）をサーバから取得して、その画像データをプリンタ機能を用いてプリントする。
【特許文献１】特開平１１−２０５５５８号公報
【発明の開示】
【発明が解決しようとする課題】
【０００４】
しかしながら、特許文献１では、上述の特有機能を持つ画像形成装置は、その特有機能自体は、その画像形成装置のみでしか使用できないため、特有機能を持つ画像形成装置の利用集中化が発生したり、また、この特有機能が必要な場合には、新たにその特有機能を持つ画像形成装置を用意する必要があった。
【０００５】
本発明は上記の課題を解決するためになされたものである。その目的は、ネットワーク上の画像処理装置に対して公開されたサービスに対応する機能を、当該機能を実行できない他の画像処理装置が利用し、その機能を実行させた結果を受信可能とすることにより、システム全体の効率化を図ることができる画像処理装置及びその制御方法、プログラムを提供することにある。
【課題を解決するための手段】
【０００６】
上記の目的を達成するための本発明による画像処理装置は以下の構成を備える。即ち、
原稿画像を読み取り、当該原稿画像に対応する画像データを生成する読取手段を有し、前記読取手段で生成した画像データを用いて実行可能な機能を有する第１画像処理装置とネットワークを介して接続された画像処理装置であって、
前記ネットワークに接続されている画像処理装置が公開しているサービスの検索指示を行う指示手段と、
前記指示手段による指示に基づき検索された前記ネットワークに接続されている画像処理装置が公開している複数種類の機能を示す機能情報を取得する取得手段と、
前記取得手段で取得した機能情報を表示する機能情報表示手段と、
前記機能情報表示手段で表示された機能情報に基づく機能群から少なくとも１つを指定する指定手段と、
前記指定手段で指定された機能に基づいて前記読取手段で読み取った画像データを、前記ネットワークを介して当該機能を実行可能な前記第１画像処理装置に送信する送信手段と、
前記送信手段による送信に応じて前記第１画像処理装置において前記送信手段で送信した画像データを用いて前記指定された機能を実行させた結果を受信する受信手段と
を有する。
【０００７】
また、好ましくは、前記機能表示手段は、サービス内容及び当該サービスの利用の可否を表示する。
【０００８】
また、好ましくは、前記機能表示手段は、サービス内容及び当該サービスを実行するターゲット名を表示する。
【０００９】
また、好ましくは、前記受信手段は、前記指定手段で指定された機能がオリジナルデータの特定に係る機能であった場合、前記送信手段で送信した画像データに対応するオリジナルデータの識別情報を受信する。
【００１０】
また、好ましくは、前記受信手段は、前記指定手段で指定された機能がオリジナルデータの特定に係る機能であった場合、前記送信手段で送信した画像データに対応するオリジナルデータを受信する。
【００１１】
また、好ましくは、前記受信手段は、前記指定手段で指定された機能がオリジナルデータの特定に係る機能であった場合、前記送信手段で送信した画像データに対応するオリジナルデータの概略を示す画像データを受信する。
【００１２】
上記の目的を達成するための本発明による画像処理装置は以下の構成を備える。即ち、
画像データを送信可能な第２画像処理装置とネットワークを介して接続された画像処理装置であって、
前記ネットワークを介して前記第２画像処理装置から指示されたサービス検索要求に応じて自身で実行可能な機能を示す機能情報を送信する機能情報送信手段と、
前記機能情報送信手段で送信した機能情報に基づき前記第２画像処理装置に指定された機能に基づき前記第２画像処理装置から画像データを受信する受信手段と、
前記受信手段で受信した画像データを、前記第２画像処理装置に指定された機能情報に基づき処理する処理手段と、
前記処理手段で処理した結果である結果情報を、前記第２画像処理装置に送信する結果送信手段と
を有する。
【００１３】
また、好ましくは、前記第２画像処理装置に指定された機能がオリジナルデータの特定に係る機能であった場合、前記処理手段は、前記受信手段で受信した画像データに対応するオリジナルデータの識別情報を解析し、前記結果送信手段は解析された識別情報を送信する。
【００１４】
また、好ましくは、前記第２画像処理装置に指定された機能がオリジナルデータの特定に係る機能であった場合、前記処理手段は、前記受信手段で受信した画像データに対応するオリジナルデータを検索し、前記結果送信手段は検索されたオリジナルデータを送信する。
【００１５】
上記の目的を達成するための本発明による画像処理装置の制御方法は以下の構成を備える。即ち、
原稿画像を読み取り、当該原稿画像に対応する画像データを生成する読取手段を有し、前記読取手段で生成した画像データを用いて実行可能な機能を有する第１画像処理装置とネットワークを介して接続された画像処理装置の制御方法であって、
前記ネットワークに接続されている画像処理装置が公開しているサービスの検索指示を行う指示工程と、
前記指示工程における指示に基づき検索された前記ネットワークに接続されている画像処理装置が公開している複数種類の機能を示す機能情報を取得する取得工程と、
前記取得工程で取得した機能情報を表示する機能情報表示工程と、
前記機能情報表示工程で表示された機能情報に基づく機能群から少なくとも１つを指定する指定工程と、
前記指定工程で指定された機能に基づいて前記読取手段で読み取った画像データを、前記ネットワークを介して当該機能を実行可能な前記第１画像処理装置に送信する送信工程と、
前記送信工程における送信に応じて前記第１画像処理装置において前記送信工程で送信した画像データを用いて前記指定された機能を実行させた結果を受信する受信工程と
を有する。
【００１６】
上記の目的を達成するための本発明による画像処理装置の制御方法は以下の構成を備える。即ち、
画像データを送信可能な第２画像処理装置とネットワークを介して接続された画像処理装置の制御方法であって、
前記ネットワークを介して前記第２画像処理装置から指示されたサービス検索要求に応じて自身で実行可能な機能を示す機能情報を送信する機能情報送信工程と、
前記機能情報送信工程で送信した機能情報に基づき前記第２画像処理装置に指定された機能に基づき前記第２画像処理装置から画像データを受信する受信工程と、
前記受信工程で受信した画像データを、前記第２画像処理装置に指定された機能情報に基づき処理する処理工程と、
前記処理工程で処理した結果である結果情報を、前記第２画像処理装置に送信する結果送信工程と
を有する。
【００１７】
上記の目的を達成するための本発明によるプログラムは以下の構成を備える。即ち、
原稿画像を読み取り、当該原稿画像に対応する画像データを生成する読取手段を有し、前記読取手段で生成した画像データを用いて実行可能な機能を有する第１画像処理装置とネットワークを介して接続された画像処理装置の制御を行うための、コンピュータ可読記録媒体に記録されるプログラムであって、
前記ネットワークに接続されている画像処理装置が公開しているサービスの検索指示を行う指示工程のプログラムコードと、
前記指示工程における指示に基づき検索された前記ネットワークに接続されている画像処理装置が公開している複数種類の機能を示す機能情報を取得する取得工程のプログラムコードと、
前記取得工程で取得した機能情報を表示装置に表示させる機能情報表示工程のプログラムコードと、
前記機能情報表示工程で表示された機能情報に基づく機能群から少なくとも１つを指定する指定工程のプログラムコードと、
前記指定工程で指定された機能に基づいて前記読取手段で読み取った画像データを、前記ネットワークを介して当該機能を実行可能な前記第１画像処理装置に送信する送信工程のプログラムコードと、
前記送信工程における送信に応じて前記第１画像処理装置において前記送信工程で送信した画像データを用いて前記指定された機能を実行させた結果を受信する受信工程のプログラムコードと
を有する。
【００１８】
上記の目的を達成するための本発明によるプログラムは以下の構成を備える。即ち、
画像データを送信可能な第２画像処理装置とネットワークを介して接続された画像処理装置の制御を行うための、コンピュータ可読記録媒体に記録されるプログラムであって、
前記ネットワークを介して前記第２画像処理装置から指示されたサービス検索要求に応じて自身で実行可能な機能を示す機能情報を送信する機能情報送信工程のプログラムコードと、
前記機能情報送信工程で送信した機能情報に基づき前記第２の画像処理装置に指定された機能に基づき前記第２画像処理装置から画像データを受信する受信工程のプログラムコードと、
前記受信工程で受信した画像データを、前記第２画像処理装置に指定された機能情報に基づき処理する処理工程のプログラムコードと、
前記処理工程で処理した結果である結果情報を、前記第２画像処理装置に送信する結果送信工程のプログラムコードと
を有する。
【発明の効果】
【００１９】
本発明によれば、ネットワーク上の画像処理装置に対して公開されたサービスに対応する機能を、当該機能を実行できない他の画像処理装置が利用し、その機能を実行させた結果を受信可能とすることにより、システム全体の効率化を図ることができる。
【発明を実施するための最良の形態】
【００２０】
以下、本発明の実施の形態について図面を用いて詳細に説明する。
【００２１】
＜実施形態１＞
実施形態１では、第１画像形成装置で管理されている画像データを、第２画像形成装置が取得して印刷する画像入出力システムについて説明する。
【００２２】
ここで、第１画像形成装置は、あたかも通常のコピーのような手順で、識別情報（文書ＩＤ：バーコードや電子透かし情報）付きの原稿を読み取り、その識別情報によって特定される、予め格納されていたその原稿のオリジナル情報（オリジナル電子文書（例えば、画像データ、ベクトルデータ、テキストデータ等で構成される））を取得して、そのオリジナル情報（オリジナル電子文書）を読み取った原稿のコピーとして印刷する特有機能を有する。
【００２３】
これに対し、第２画像形成装置は、上記の第１画像形成装置の特有機能を持たない画像形成装置装置である。
【００２４】
特に、実施形態１では、第２画像形成装置は、識別情報付きの原稿を読み取り、その画像データを第１画像形成装置に送信し、第１画像形成装置は受信した画像データ中の識別情報に対応するオリジナル電子文書を特定する文書ＩＤを決定して、その文書ＩＤを第２画像形成装置へ送信する。
【００２５】
第２画像形成装置は、受信した文書ＩＤを用いることで、第１画像形成装置で管理されている対応するオリジナル電子文書を受信して、そのオリジナル電子文書の保存／印刷／／ファックス送信／データ送信等の各種処理を実行する。
【００２６】
また、実施形態１では、オリジナル電子文書に対する各種処理の指示（例えば、印刷指示）は、第２画像形成装置から入力する。また、オリジナル電子文書は、第１画像形成装置で管理されている構成を例に挙げて説明する。但し、この構成は一例であり、これに限定されるものではない。
【００２７】
まず、実施形態１に関わる画像入出力システムの全体構成を、図１を用いて説明する。
【００２８】
図１は本発明の実施形態１の画像入出力システムの全体構成を示す図である。
【００２９】
画像形成装置１００は、本発明に関わる、特有機能として、オリジナル電子文書を検索する機能を有する第１画像形成装置である。一方、画像形成装置１０１は、その特有機能をもたない第２画像形成装置である。全体構成に関する部分については、どちらも相違がないため、説明は合わせて行う。
【００３０】
リーダー部（画像入力装置）２００は、原稿画像を光学的に読み取り、画像データに変換する。リーダー部２００は、原稿を読み取るスキャナ機能であるスキャナユニット２１０と、原稿用紙を搬送する搬送機能である原稿給紙ユニット（ＤＦ（Document Feed）ユニット）２５０とで構成される。
【００３１】
プリンタ部（画像出力装置）３００は、記録紙を搬送し、その記録紙上に画像データを可視画像として記録して装置外に排紙する。プリンタ部３００は、複数種類の記録紙カセットを有する給紙ユニット３６０と、画像データを記録紙に転写、定着させる機能を持つマーキングユニット３１０と、画像が記録された記録紙をソート、ステイプルして機外へ出力する機能を持つ排紙ユニット３７０とで構成される。
【００３２】
尚、記録紙は、一般的な記録装置で用いられている紙のみならず、広く布、プラスチックフィルム、金属板等を含むものである。
【００３３】
制御装置（コントローラ部）１１０は、リーダー部２００、プリンタ部３００と電気的に接続され、さらにＬＡＮ４００にと接続されている。
【００３４】
制御装置１１０は、リーダー部２００を制御して、原稿の画像データを読み込み、プリンタ部３００を制御して画像データを記録用紙に出力するコピー機能を提供する。
【００３５】
また、リーダー部２００から読み取った画像データを、コードデータに変換し、ＬＡＮ４００を介して、ホストコンピュータ（不図示）へ送信するスキャナ機能、ホストコンピュータからＬＡＮ４００を介して受信したコードデータを画像データに変換し、プリンタ部３００に出力するプリンタ機能を提供する。
【００３６】
操作部１５０は、制御装置１１０に接続され、例えば、液晶タッチパネル、テンキー、各種ボタン等で構成され、画像入出力システムを操作するためのユーザＩ／Ｆ（インタフェース）を提供する。
【００３７】
ハードディスクドライブ（ＨＤＤ）１６０は、リーダー部２００で読み取った画像データや、通信回線を介して受信した画像データを記憶する。特に、実施形態１では、第１画像形成装置において、画像データと、その付加データとして、画像データの保存先を示すアドレス情報及びサムネイル画像情報とを対応づけた画像データベースが構築されている。
【００３８】
尚、第１画像形成装置である画像形成装置１００、第２画像形成装置である画像形成装置１０１には、同一ネットワーク（ＬＡＮ４００）上で両者を区別可能なＩＰアドレス及びネットワークユーザ名が設定されている。また、図１では、両者は、ＬＡＮ４００上に接続されている構成を示しているが、これ以外に、ＷＡＮ、インターネット等の他のネットワーク上に接続されていても良い。
【００３９】
＜制御装置の説明＞
次に、制御装置１１０の詳細構成を、図２を用いて説明する。
【００４０】
図２は本発明の実施形態１の制御装置の詳細構成を示す図である。
【００４１】
尚、制御装置１１０においても、画像形成装置１００、１０１で持つ構成がほぼ同じであるため、ここでは、合わせて説明するが、相違部分については、適宜説明する。
【００４２】
メインコントローラ１１１は、主に、ＣＰＵ１１２と、バスコントローラ１１３、各種Ｉ／Ｆコントローラ回路とから構成される。
【００４３】
ＣＰＵ１１２とバスコントローラ１１３は、制御装置１１０全体の動作を制御するものであり、ＣＰＵ１１２は，ＲＯＭ１１４からＲＯＭ  Ｉ／Ｆ１１５を経由して読み込んだプログラムに基いて動作する。また、ホストコンピュータから受信したＰＤＬ（ページ記述言語）コードデータを解釈し、ラスターイメージデータに展開する動作も、このプログラムに記述されており、ソフトウェアによって処理される。
【００４４】
バスコントローラ１１３は、各Ｉ／Ｆから入出力されるデータ転送を制御するものであり、バス競合時の調停やＤＭＡデータ転送の制御を行う。
【００４５】
ＤＲＡＭ１１６は、ＤＲＡＭ  Ｉ／Ｆ１１７によってメインコントローラ１１１と接続されており、ＣＰＵ１１２が動作するためのワークエリアや、画像データを蓄積するためのエリアとして使用される。
【００４６】
Ｃｏｄｅｃ１１８は、ＤＲＡＭ１１６に蓄積されたラスターイメージデータをＭＨ／ＭＲ／ＭＭＲ／ＪＢＩＧ／ＪＰＥＧ等の圧縮方式で圧縮し、また、逆に圧縮され蓄積されたコードデータをラスターイメージデータに伸長する。
【００４７】
ＳＲＡＭ１１９は、Ｃｏｄｅｃ１１８の一時的なワーク領域として使用される。Ｃｏｄｅｃ１１８はＩ／Ｆ１２０を介してメインコントローラ１１１と接続され、ＤＲＡＭ１１６との間のデータの転送は、バスコントローラ１１３によって制御されＤＭＡ転送される。
【００４８】
グラフィックプロセッサ１３５は、画像回転、変倍処理や、本発明に関わる、バーコード情報／電子透かし情報の抽出・解析や生成・埋め込み等の処理を行う。
【００４９】
外部通信Ｉ／Ｆコントローラ１２１は、Ｉ／Ｆ１２３によってメインコントローラ１１１と接続され、コネクタ１２２によって外部ネットワークと接続される。
【００５０】
汎用高速バス１２５には、拡張ボードを接続するための拡張コネクタ１２４と、Ｉ／Ｏ制御部１２６とが接続される。汎用高速バスとしては、一般的にＰＣＩバスがあげられる。
【００５１】
Ｉ／Ｏ制御部１２６には、リーダー部２００、プリンタ部３００の各ＣＰＵと制御コマンドを送受信するための調歩同期シリアル通信コントローラ１２７が２チャンネル装備されており、Ｉ／Ｏバス１２８によって外部Ｉ／Ｆ回路であるスキャナＩ／Ｆ１４０及びプリンタＩ／Ｆ１４５に接続されている。
【００５２】
パネルＩ／Ｆ１３２は、ＬＣＤコントローラ１３１に接続され、操作部１５０上の液晶画面に表示を行うためのＩ／Ｆと、ハードキーやタッチパネルキーの入力を行うためのキー入力Ｉ／Ｆ１３０とから構成される。
【００５３】
操作部１５０は液晶表示部と液晶表示部上に張り付けられたタッチパネル入力装置と、複数個のハードキーを有する。タッチパネルまたはハードキーにより入力された信号は、パネルＩ／Ｆ１３２を介してＣＰＵ１１２に伝えられる。また、液晶表示部は、パネルＩ／Ｆ１３２から送信されてきた画像データを表示する。この表示には、画像形成装置１００やの操作における機能表示や画像データ等がある。
【００５４】
リアルタイムクロックモジュール１３３は、機器内で管理する日付と時刻を更新／保存するためのもので、バックアップ電池１３４によってバックアップされている。
【００５５】
Ｅ−ＩＤＥコネクタ１６１は、外部記憶装置を接続するためのものである。実施形態１においては、このＥ−ＩＤＥコネクタ１６１を介してハードディスク（ＨＤ）ドライブ１６０を接続し、ハードディスク（ＨＤ）１６２へ画像データを記憶させたり、ハードディスク１６２から画像データを読み込む動作を行う。
【００５６】
コネクタ１４２と１４７は、それぞれリーダー部２００とプリンタ部３００とに接続され、同調歩同期シリアルＩ／Ｆ（１４３、１４８）とビデオＩ／Ｆ（１４４、１４９）とから構成される。
【００５７】
スキャナＩ／Ｆ１４０は、コネクタ１４２を介してリーダー部２００と接続され、また、スキャナバス１４１によってメインコントローラ１１１と接続されている。また、スキャナＩ／Ｆ１４０は、リーダー部２００から受信した画像データに対して所定の画像処理を施す機能を有する。更に、スキャナＩ／Ｆ１４０は、リーダー部２００から送信されたビデオ制御信号をもとに生成した制御信号を、スキャナバス１４１に出力する機能も有する。
【００５８】
ここで、スキャナバス１４１からＤＲＡＭ１１６へのデータ転送は、バスコントローラ１１３によって制御される。
【００５９】
プリンタＩ／Ｆ１４５は、コネクタ１４７を介してプリンタ部３００と接続され、また、プリンタバス１４６によってメインコントローラ１１１と接続されている。また、プリンタＩ／Ｆ１４５は、メインコントローラ１１１から出力された画像データに所定の画像処理を施して、プリンタ部３００へ出力する機能を有する。更に、プリンタＩ／Ｆ１４５は、プリンタ部３００から送信されたビデオ制御信号をもとに生成した制御信号を、プリンタバス１４６に出力する機能も有する。
【００６０】
ＤＲＡＭ１１６上に展開されたラスターイメージデータのプリンタ部３００への転送は、バスコントローラ１１３によって制御され、プリンタバス１４６、ビデオＩ／Ｆ１４９を経由して、プリンタ部３００へＤＭＡ転送される。
【００６１】
尚、後述する第１画像形成装置が実行するオリジナル電子文書の検索は、例えば、ＲＯＭ１１４に記載されたプログラムに基づいて動作する。具体的には、第２画像形成装置より受信した画像データ（原稿画像）中の識別情報（文書ＩＤ）であるバーコード情報／電子透かし情報を、グラフィックプロセッサ１３５にて解析し、原稿画像に対応するオリジナル電子文書の格納先であるアドレス情報を取得する。そして、そのアドレス情報に従って、例えば、ハードディスク１６２に格納されているオリジナル電子文書を取得する。
【００６２】
＜リーダー画像処理部の説明＞
次に、リーダー装置２００内に備えられたリーダー画像処理部の詳細構成について、図３を用いて説明する。
【００６３】
図３は本発明の実施形態１のリーダー装置内のリーダー画像処理部の詳細構成を示すブロック図である。
【００６４】
尚、リーダー装置２００内のリーダー画像処理部においても、画像形成装置１００、１０１で持つ構成が同じであるため、ここでは、合わせて説明する。
【００６５】
このリーダー画像処理部２２２では、原稿画像はＣＣＤ２１８に読み取られて電気信号に変換される（ＣＣＤ２１８は、カラーセンサの場合、ＲＧＢのカラーフィルタが１ラインＣＣＤ上にＲＧＢ順にインラインに配置して構成したものでも構わないし、３ラインＣＣＤで、それぞれＲフィルタ・Ｇフィルタ・ＢフィルタをそれぞれのＣＣＤ毎に配置して構成したものでも構わないし、フィルタがオンチップ化、又はフィルタがＣＣＤと別構成になったものでも構わない）。
【００６６】
そして、その電気信号（アナログ画像信号）は、リーダー画像処理部２２２に入力され、クランプ＆Ａｍｐ．＆Ｓ／Ｈ＆Ａ／Ｄ部４５１で、サンプルホールド（Ｓ／Ｈ）され、アナログ画像信号のダークレベルを基準電位にクランプし、所定量に増幅され（上記処理順番は表記順とは限らない）、Ａ／Ｄ変換されて、例えば、ＲＧＢ各８ビットのディジタル信号に変換される。そして、ＲＧＢ信号はシェーディング部４５２で、シェーディング補正及び黒補正が施された後、制御装置１１０へと出力される。
【００６７】
＜スキャナＩ／Ｆの画像処理部の説明＞
次に、スキャナＩ／Ｆ１４０の画像処理を担う画像処理部の詳細構成について、図４を用いて説明する。
【００６８】
図４は本発明の実施形態１のスキャナＩ／Ｆの画像処理部の詳細構成を示すブロック図である。
【００６９】
尚、スキャナＩ／Ｆ１４０の画像処理部においても、画像形成装置１００、１０１で持つ構成が同じであるため、ここでは、合わせて説明する。
【００７０】
リーダー部２００から、コネクタ１４２を介して送信される画像信号に対して、つなぎ＆ＭＴＦ補正部６０１で補正を行う。特に、ＣＣＤ２１８が３ラインＣＣＤの場合、つなぎ処理はライン間の読取位置が異なるため、読取速度に応じてライン毎の遅延量を調整し、３ラインの読取位置が同じになるように信号タイミングを補正する。また、ＭＴＦ補正は読取速度によって読取のＭＴＦが変るため、その変化を補正する。
【００７１】
読取位置タイミングが補正されたデジタル信号は入力マスキング部６０２によって、ＣＣＤ２１８の分光特性及びランプ及びミラー（不図示）の分光特性を補正する。入力マスキング部６０２の出力は、ＡＣＳカウント部６０３及びメインコントローラ１１１へと送信される。
【００７２】
＜プリンタＩ／Ｆの画像処理部の説明＞
次に、プリンタＩ／Ｆ１４５の画像処理を担う画像処理部の詳細構成について、図５を用いて説明する。
【００７３】
図５は本発明の実施形態１のプリンタＩ／Ｆの画像処理部の詳細構成を示すブロック図である。
【００７４】
尚、プリンタＩ／Ｆ１４５の画像処理部においても、画像形成装置１００、１０１で持つ構成が同じであるため、ここでは、合わせて説明する。
【００７５】
メインコントローラ１１１から、プリンタバス１４６を介して送信される画像信号は、まず、ＬＯＧ変換部７０１に入力される。ＬＯＧ変換部７０１では、ＬＯＧ変換でＲＧＢ信号からＣＭＹ信号に変換する。次に、モアレ除去部７０２でモアレが除去される。次に、ＵＣＲ＆マスキング部７０３では、モアレ除去処理されたＣＭＹ信号がＵＣＲ処理でＣＭＹＫ信号が生成され、マスキング処理でプリンタの出力にあった信号に補正される。
【００７６】
ＵＣＲ＆マスキング部７０３で処理された信号は、γ補正部７０４で濃度調整された後、フィルタ部７０５でスムージング又はエッジ処理される。これらの処理を経て、コネクタ１４７を介してプリンタ部３００へと画像が送信される。
【００７７】
＜グラフィックプロセッサの説明＞
次に、第１画像形成装置（画像形成装置１００）のグラフィックプロセッサ１３５の詳細構成について、図６Ａを用いて説明する。
【００７８】
図６Ａは本発明の実施形態１の第１画像形成装置のグラフィックプロセッサの詳細構成を示すブロック図である。
【００７９】
グラフィックプロセッサ１３５では、画像回転、変倍処理や、本発明に関わる、バーコード情報・電子透かし情報の抽出・解析や生成・埋め込み等の処理を行う。
【００８０】
具体的には、グラフィックプロセッサ１３５は、画像回転部８０１による画像の回転、画像変倍部８０２による画像の変倍、色空間変換部８０３によるＬＵＴ８０４を利用した色空間変換、画像二値化部８０５による画像の二値化の各種画像処理を行う。
【００８１】
ＳＲＡＭ１３６はグラフィックプロセッサ１３５の一時的なワーク領域として使用される。グラフィックプロセッサ１３５は、Ｉ／Ｆ１３７を介してメインコントローラ１１１と接続され、ＤＲＡＭ１１６との間のデータの転送は、バスコントローラ１１３によって制御されＤＭＡ転送される。
【００８２】
バスコントローラ１１３は、グラフィックプロセッサ１３５の各々のモジュール（８０１〜８０５、２１００及び２２００）に、画像処理モード等を設定する制御及び、各々のモジュールに画像データを転送するためのタイミング制御を行う。
【００８３】
バーコード情報／電子透かし情報抽出／解析部２１００は、画像データに含まれているバーコード情報／電子透かし情報を抽出して解析し、オリジナル電子文書の保存先を示すアドレス情報を取得する。
【００８４】
また、バーコード情報／透かし情報生成・埋込部２２００では、オリジナル電子文書のアドレス情報や、サムネイル画像情報を生成し、これらの情報をバーコード情報／電子透かし情報として画像データに埋め込む埋込処理を行う。
【００８５】
尚、バーコード情報としては、１次元バーコード、２次元バーコード等の各種バーコードを利用することができる。また、電子透かし情報は、オリジナル電子文書上の文字列、特に、文字と文字の間隔を変調して情報を埋め込む方法、オリジナル電子文書中の中間調画像（サムネイル画像）中に埋め込む方法等によって実現される。
【００８６】
次に、第２画像形成装置（画像形成装置１０１）のグラフィックプロセッサ１３５の詳細構成について、図６Ｂを用いて説明する。
【００８７】
図６Ｂは本発明の実施形態１の第２画像形成装置のグラフィックプロセッサの詳細構成を示すブロック図である。
【００８８】
図６Ｂは、図６Ａに対し、バーコード情報／電子透かし情報の抽出・解析や生成・埋込等の処理機能を持ち合わせていないため、画像回転、変倍処理等の画像処理のみを行う。つまり、図６Ｂでは、図６Ａの構成に対し、バーコード情報／電子透かし情報抽出／解析部２１００とバーコード情報／電子透かし情報生成／埋込部２２００が構成されていない。
【００８９】
＜格納領域の説明＞
次に、ハードディスク１６２のデータ格納領域の構成について、図７Ａ及び図７Ｂを用いて説明する。
【００９０】
図７Ａは本発明の実施形態１のハードディスク内のデータ格納領域の構成の一例を示す図である。
【００９１】
９０１は、文書管理機能（Ｂｏｘ機能）が実現する、データを格納するためのＢｏｘデータ領域である。このＢｏｘデータ領域９０１には、オリジナル電子文書も格納され、例えば、Ｂｏｘという管理単位で、各Ｂｏｘに複数のオリジナル電子文書を格納することもできる。
【００９２】
９０２は、複数のＢｏｘを示すデータである。９０３は、Ｂｏｘ内のデータファイルであり、９０４はそのデータファイルの属性（例えば、画像、テキスト、写真等）である。また、９１０は第１画像形成装置が有する複数種類の特有機能（他の画像形成装置から当該特有機能の利用を許容する）に関する情報の機能データファイルである。９２０は、Ｂｏｘ機能で管理されるデータ以外のデータ格納領域である。
【００９３】
次に、機能データファイルの詳細について、図７Ｂを用いて説明する。
【００９４】
図７Ｂは本発明の実施形態１の機能データファイルの一例を示す図である。
【００９５】
９５０は、公開する機能名を示したデータである。９５１は関数名が記載されたデータである。９５２は、関数におけるリザルトコード、即ち、機能（サービス）を利用する側（リクエスタ）へ返すコードデータである。
【００９６】
９５３は、関数におけるパラメータを示している。９５４は、その機能の利用可否の状態を示すフラグであり、このフラグが有効でない場合は、当該機能が利用できないことになる。
【００９７】
＜操作部の説明＞
次に、操作部１５０の表示部に表示される基本画面について、図８を用いて説明する。
【００９８】
図８は本発明の実施形態１の操作部の表示部に表示される基本画面の一例を示す図である。
【００９９】
尚、この操作部１５０は、上述したように、タッチパネルとなっており、それぞれ表示される機能の枠内を触れることにより、その機能が実行される。
【０１００】
コピーモードキー５２４は、複写動作を行う場合に押すキーである。そして、このコピーモードキー５２４が押されたときに、表示領域５３０にコピーモード画面が表示される。
【０１０１】
拡張機能キー５０１は、このキーを押すことによって、両面複写、多重複写、移動、綴じ代の設定、枠消しの設定等のモードに入る。
【０１０２】
５４０は、ステータスラインであり、機器の状態や印刷情報を示すメッセージを表示する。図８の場合、コピー待機中であることを示している。
【０１０３】
画像モードキー５０２は、複写画像に対して網掛け、影付け、トリミング、マスキングを行うための設定モードに入る。ユーザモードキー５０３は、モードメモリの登録、標準モード画面の設定モードに入る。応用ズームキー５０４は、原稿のＸ方向、Ｙ方向を独立に変倍するモード、原稿サイズと複写サイズから変倍率を計算するズームプログラムのモードに入る。
【０１０４】
Ｍ１キー５０５、Ｍ２キー５０６、Ｍ３キー５０７は、それぞれに登録されたモードメモリを呼び出す際に押すキーである。コールキー５０８は、一つ前に行われたジョブに関するモード設定を呼び出し、再び設定するキーである。
【０１０５】
オプションキー５０９は、フィルムから直接複写するため、フィルムプロジェクタ等のオプション機能の設定を行うキーである。ソータキー５１０は、ソート、ノンソート、グループの設定を行うキーである。原稿混載キー５１１は、原稿フィーダにＡ４サイズとＡ３サイズ、またはＢ５サイズとＢ４サイズの原稿を一緒にセットする際に押すキーである。
【０１０６】
等倍キー５１２は、複写倍率を１００％にする際に押すキーである。縮小キー５１４、拡大キー５１５は、定型の縮小、拡大を行う際に押すキーである。ズームキー５１６は、所望の変倍率を指定する際に押すキーである。用紙選択キー５１３は、複写用紙の選択を行う際に押すキーである。濃度キー５１８、５２０は、キー５１８を押す毎に濃く複写され、キー５２０を押す毎に薄く複写される。
【０１０７】
濃度表示領域５１７は、濃度キー５１８、５２０を押すとその表示が左右に変化する。ＡＥキー５１９は、新聞のように地肌の濃い原稿を自動濃度調整複写するときに押すキーである。ＨＩＦＩキー５２１は、写真原稿のように中間調の濃度が濃い原稿の複写の際に押すキーである。
【０１０８】
文字強調キー５２２は、文字原稿の複写で文字を際だたせたい場合に押すキーである。５６０は履歴キーであり、これを押下することで、印刷済のジョブの履歴情報を表示する。例えば、印刷ジョブの終了時刻、ユーザ名、ファイル名、印刷枚数等の情報を表示する。プリンタ選択キー６００は、リモートコピーや重連コピーを行う場合の受信側複写機を選択する際に押すキーである。
【０１０９】
ガイドキー（？）５２３は、あるキーの機能がわからないとき押すキーであり、そのキーの説明が表示される。ファックスキー５２５は、ファックスを行うときに押すキーであり、Ｂｏｘキー５２６は、Ｂｏｘ機能を表示させたいときに押すキーである。プリンタキー５２７は、プリントの濃度を変更する、あるいは、リモートのホストコンピュータからのＰＤＬデータのプリント出力詳細情報を参照したい場合に押すキーである。ＩＤキー５２８は、当該画像形成装置を利用するユーザを認証を行うときに押すキーである。
【０１１０】
サービス検索キー５９９は、ＬＡＮ４００上に接続されている他の画像形成装置で公開されている機能（サービス）を検索する場合に押下するキーである。このキーを押下すると、図９Ａや図９Ｂのサービス検索結果画面が表示される。
【０１１１】
ここで、サービス検索結果画面について、図９Ａ及び図９Ｂを用いて説明する。
【０１１２】
図９Ａ及び図９Ｂは本発明の実施形態１のサービス検索結果画面の一例を示す図である。
【０１１３】
尚、図９Ａ及び図９Ｂで、選択状態にあるキーは、その表示形態が、例えば、ハッチング表示される。もちろん、この表示形態は、ハッチング表示に限定されず、色分け表示、ブリンク表示等の他の表示形態であっても良い。いずれにしても、選択情報／非選択状態を、操作者が区別可能な表示形態であれば、どのようなものでも良い。
【０１１４】
このサービス検索結果画面では、検索実行キー１１０５を押下することで、機能（サービス）を公開しているターゲット（例えば、画像形成装置１００）とその機能（サービス）の内容を検索することができる。
【０１１５】
検索実行キー１１０５を押下すると、表示欄１１０１にターゲット名（例えば、ネットワークユーザ名）、表示欄１１０２にターゲットのＩＰアドレス、表示欄１１０３にサービス内容、表示欄１１０４にその利用の可否状態（ＯＫ／ＮＧ）が表示される。
【０１１６】
また、これらの表示欄のいずれかを押下することにより、その機能（サービス）が選択された状態となり、ＯＫキー１１０６で選択が確定する。また、キャンセルキー１１０７を押下すると、サービス検索自体がキャンセルされ、図８の基本画面に復帰する。
【０１１７】
ここで、実施形態１においては、例えば、表示欄１１０１中の「ｔａｒｇｅｔ０１」のオリジナルデータ検索サービスを選択し、ＯＫキー１１０６を押下すると、図１０のオリジナルデータ検索サービス実行画面が表示される。
【０１１８】
ここで、オリジナルデータ検索サービス実行画面について、図１０を用いて説明する。
【０１１９】
図１０は本発明の実施形態１のオリジナルデータ検索サービス実行画面の一例を示す図である。
【０１２０】
尚、図１０では、第２画像形成装置（画像形成装置１０１）の操作部１５０に対する操作例として説明する。
【０１２１】
図１０において、表示欄１２０１にターゲット名、表示欄１２０２にターゲットのＩＰアドレス、表示欄１２０３にサービス内容、表示欄１２０４にその利用可否状態（ＯＫ／ＮＧ）が表示される。
【０１２２】
ここで、オリジナルデータを検索するための検索条件となる、処理対象の原稿（文書ＩＤ付き）を原稿台もしくはＡＤＦに載置し、開始キー１２０５を押下すると、スキャンが開始され、その画像データが第１画像形成装置（画像形成装置１００）へ送信される。キャンセルキー１２０６を押下すると、本機能自体がキャンセルされ、図９Ａのサービス検索結果画面に復帰する。
【０１２３】
第２画像形成装置（画像形成装置１０１）において、開始キー１２０５が押下されると、スキャンを開始し、画像データが第１画像形成装置（画像形成装置１００）へ送信される。その後、第１画像形成装置において、受信した画像データに含まれるアドレス情報に対応するオリジナルデータ（オリジナル電子文書）が検索される。
【０１２４】
そして、オリジナルデータが検索された場合には、そのオリジナルデータを示す文書ＩＤを第１画像形成装置から第２画像形成装置へ送信する。これにより、第２画像形成装置は、読み取った原稿に対応する文書ＩＤを取得することができる。この場合、その検索結果として、図１１の検索結果画面が表示される。また、取得した文書ＩＤは、例えば、ハードディスク１６０に格納される。
【０１２５】
ここで、検索結果画面について、図１１を用いて説明する。
【０１２６】
図１１は本発明の実施形態１の検索結果画面の一例を示す図である。
【０１２７】
図１１において、表示欄１３０１は「結果」と表示され、表示欄１３０２でその取得の結果（正常終了／異常終了）が表示される。実施形態１においては、正常に動作した場合について示しており、その場合は、例えば、「正常終了」と表示欄１３０２に表示される。また、ＯＫキー１３０３を押下すると、図８の基本画面に復帰する。
【０１２８】
尚、第２画像形成装置で文書ＩＤを取得できた場合には、その文書ＩＤによって、第１画像形成装置が有する文書ＩＤによる各種特有機能（例えば、データ送信機能、ファックス送信機能等）を更に利用することが可能となる。
【０１２９】
次に、図９Ｂにおいて、表示欄１１０１中の「ｔａｒｇｅｔ９８」のオリジナルデータプリントサービスを選択し、ＯＫキー１１０６を押下した場合に表示されるオリジナルデータプリントサービス実行画面について、図１２を用いて説明する。
【０１３０】
図１２は本発明の実施形態１のオリジナルデータプリントサービス実行画面の一例を示す図である。
【０１３１】
尚、オリジナルデータプリントサービス実行画面は、例えば、ハードディスク１６０に記憶されている文書ＩＤ群とその取得日時に基づいて生成される。
【０１３２】
図１２において、表示欄１４０１が文書ＩＤ、表示欄１４０２が文書ＩＤの取得日時が表示される。ここで、印刷対象の文書ＩＤを選択（ここでは、００００００１８を選択）し、開始キー１４０３を押下することで印刷が開始される。
【０１３３】
文書ＩＤ選択をキャンセルしたい場合は、キャンセルキー１４０４を押下すると、図９Ｂのサービス検索結果画面に復帰する。
【０１３４】
また、文書名設定キー１４０５を押下し、文書ＩＤを所望（任意の）の文書名に設定することが可能である。但し、この場合、文書ＩＤそのものが変更されてしまうわけではなく、エイリアスが設定されているだけである（即ち、オリジナルデータの検索にはエイリアスされた文書ＩＤが使用される）。
【０１３５】
文書ＩＤが選択された状態で、開始キー１４０３が押下されると、第２画像形成装置は、その文書ＩＤに対応するオリジナルデータを第１画像形成装置より取得して、そのオリジナルデータの印刷を第２画像形成装置で実行する。そして、オリジナルデータの印刷が完了した場合には、図１３の印刷結果画面が表示される。
【０１３６】
ここで、印刷結果画面について、図１３を用いて説明する。
【０１３７】
図１３は本発明の実施形態１の印刷結果画面の一例を示す図である。
【０１３８】
図１３において、表示欄１５０１は「結果」と表示され、表示欄１５０２でその取得の結果（正常終了／異常終了）が表示される。実施形態１においては、正常に動作した場合について示しており、その場合は、例えば、「正常終了」と表示欄１３０２に表示される。また、ＯＫキー１５０３を押下すると、図８の基本画面に復帰する。
【０１３９】
次に、実施形態１の画像形成装置で実行する処理について、図１４を用いて説明する。
【０１４０】
図１４は本発明の実施形態１の画像形成装置で実行する処理を示すフローチャートである。
【０１４１】
尚、図１４では、特に、第２画像形成装置（画像形成装置１０１）の操作部１５０に表示される、図８の基本画面において、サービス検索キー５９９を押下した後の処理について説明する。
【０１４２】
また、このサービス検索は、検索要求（機能情報取得要求）をＬＡＮ上の画像形成装置にブロードキャストして、この検索要求を受信した画像形成装置は、機能（サービス）データファイルを、その検索要求先の画像形成装置へ返信することになる。
【０１４３】
まず、ステップＳ５０１で、サービス検索キー５９９が押下されると、ＬＡＮ４００上に接続されている各画像形成装置の機能（サービス）を検索する。ステップＳ５０２で、該当するサービスが検索されたか否かを判定する。サービスが検索されない場合（ステップＳ５０１でＮＯ）、ステップＳ５０１に戻る。一方、サービスが検索された場合（ステップＳ５０１でＹＥＳ）、つまり、機能データファイルを受信した場合、ステップＳ５０３に進む。
【０１４４】
ステップＳ５０３で、機能データファイルに基づいて、例えば、図９Ａのサービス検索結果画面を操作部１５０に表示する。ステップＳ５０３ａで、サービス検索結果画面で、サービス内容の選択の有無を判定する。
【０１４５】
ステップＳ５０３ａにおいて、オリジナルデータ検索サービスが選択された場合、ステップＳ５０４に進み、オリジナルデータ検索サービスの選択を確定する。ステップＳ５０５で、図１０のオリジナルデータ検索サービス実行画面を操作部１５０に表示して、原稿給紙ユニット２５０に載置されている検索条件となる原稿のスキャンを開始する。ステップＳ５０６で、スキャンによって得られる画像データを第１画像形成装置（画像形成装置１００）に送信する。
【０１４６】
ステップＳ５０７で、第１画像形成装置内で、画像データ中のバーコード情報もしくは電子透かし情報から得られる、オリジナルデータのアドレス情報を解析する。ステップＳ５０８で、解析したアドレス情報に基づいて、ハードディスク１６０から、アドレス情報に対応するオリジナルデータを検索する。オリジナルデータが検索された場合、ステップＳ５０９で、オリジナルデータの位置（格納場所）を示す文書ＩＤを決定する。実施形態１では、例えば、８桁の数字を例としている。
【０１４７】
次に、ステップＳ５１０で、サービスを提供するプロバイダとなる第１画像形成装置から、サービスをリクエストするリクエスタとなる第２画像形成装置へ文書ＩＤを返信する。これにより、図１１の検索結果画面が操作部１５０に表示されるとともに、受信した文書ＩＤは、第２画像形成装置のハードディスク１６０に記憶される。
【０１４８】
ここで、オリジナルデータ検索サービス自体は終了するが、図に示すＡに戻り、ステップＳ５０３で、再度、図９Ａのサービス検索結果画面から、任意のサービスを選択することできる。ここで、例えば、再度オリジナルデータ検索サービスを行ってもよい。
【０１４９】
一方、ステップＳ５０３ａにおいて、オリジナルデータプリントサービスが選択された場合、ステップＳ５１１に進み、オリジナルプリントサービスの選択を確定する。ステップＳ５１２で、図１２のオリジナルデータプリントサービス実行画面を操作部１５０に表示して、リクエスタとなる第２画像形成装置から、印刷対象のオリジナルデータの文書ＩＤを選択して、第１画像形成装置に送信する。
【０１５０】
ステップＳ５１３で、第１画像形成装置内で、受信した文書ＩＤからオリジナルデータの位置情報（格納先（アドレス情報））を特定する。ステップＳ５１４で、そのオリジナルデータの位置情報をリクエスタとなる第２画像形成装置に返信する。
【０１５１】
ステップＳ５１５で、第２画像形成装置は、そのオリジナルデータの位置情報を指定して、オリジナルデータを第１画像形成装置から取得する。ステップＳ５１６で、取得したオリジナルデータの印刷を行う。そして、ステップＳ５１７で、図１３の印刷結果画面を操作部１５０に表示する。
【０１５２】
ここで、オリジナルデータプリントサービス自体は終了するが、図に示すＡに戻り、ステップＳ５０３で、再度、図９Ｂのサービス検索結果画面から、任意のサービスを選択することができる。ここで、例えば、ステップＳ５１１のオリジナルデータプリントサービスにて、再度、同じデータ、もしくは他のデータのオリジナルデータプリントを行うことができる。
【０１５３】
尚、上述の例では、操作例として、オリジナルデータ検索サービス及びオリジナルデータプリントサービスについて説明したが、第１画像形成装置が公開できる機能（サービス）には、これ以外に、Ｂｏｘ機能、ファックス送信機能、データ送信機能（例えば、オリジナルデータを電子メールに添付して送信する電子メール送信）等がある。そして、これらの機能についても、上記例と同様に、使用した機能に対応する操作画面を適宜使用して、所望のオリジナルデータに対する処理を実行できることは言うまでもない。
【０１５４】
例えば、オリジナルデータファクスサービスを利用する場合には、送信対象のオリジナルデータの文書ＩＤと、送信先のファックス番号を指定することで、ファックス送信を実現することができる。また、Ｂｏｘ保存サービスを利用する場合には、保存対象のオリジナルデータの文書ＩＤと、保存先（アドレス情報、例えば、ＬＡＮ上のサーバで公開されている共有フォルダのフルパス情報等）を指定することで、データ保存を実現することができる。
【０１５５】
以上説明したように、実施形態１によれば、特有機能を備える第１画像形成装置が、ネットワーク上の他の第２画像形成装置に、その特有機能を公開して利用可能にすることで、特に、その特有機能を備えていない第２画像形成装置や機器においても、装置構成を追加することなく、その特有機能を備える第１画像形成装置が備える各種機能を利用することができる。
【０１５６】
これにより、特有機能を備える第１画像形成装置を新たに導入しなくても、既存の特有機能を備える第１画像形成装置を、他の第２画像形成装置で簡単に利用することができるので、ユーザの利便性を向上させることができる。加えて、特有機能を備える第１画像形成装置を新たに導入する必要がなくなるので、通常かかる導入コストも軽減することができる。
【０１５７】
また、読取原稿の画像データから文書ＩＤを取得する機能（サービス）と、文書ＩＤからオリジナルデータを取得する機能（サービス）を分けることで、前者だけの機能（サービス）を利用したり、後者の機能（サービス）だけを利用したり、または組み合わせて利用したりと、機能（サービス）を利用する側の利便性が向上する。
【０１５８】
また、過去に取得した文書ＩＤを第２画像形成装置に保存しておき、機能の実行時にいつでも呼び出すことができるので、過去に使用したことのあるオリジナルデータであれば、再度、それに対応する原稿を読み取って、その読取画像を第１画像形成装置に送信して対応する文書ＩＤを取得しなくても、いつでも文書ＩＤを再利用して、所望の文書ＩＤに対応するオリジナルデータの各種処理を迅速に実行することができる。
【０１５９】
＜実施形態２＞
実施形態２では、実施形態１の構成に加えて、オリジナルデータのサムネイル画像を第１画像形成装置のハードディスク１６０に格納しておき、オリジナルデータの文書ＩＤとともにサムネイル画像を第２画像形成装置に提供する。これにより、第２画像形成装置では、オリジナルデータに対する各種処理を実行する前に、その内容を確認することができる。
【０１６０】
＜操作部の説明＞
ここでは、図１０のオリジナルデータ検索サービス実行画面において、原稿の画像データを送信し、その原稿に対応するオリジナルデータの文書ＩＤとサムネイル画像を取得した場合には、図１５の検索結果画面が表示される。
【０１６１】
ここで、検索結果画面について、図１５を用いて説明する。
【０１６２】
図１５は本発明の実施形態２の検索結果画面の一例を示す図である。
【０１６３】
図１５において、表示欄２００１は「結果」と表示され、表示欄２００２でその取得の結果（正常終了／異常終了）が表示される。実施形態２においては、正常に動作した場合について示しており、その場合は、例えば、「正常終了」と表示欄２００２に表示される。また、ＯＫキー２００３を押下すると、図８の基本画面に復帰する。
【０１６４】
次に、図９Ｂにおいて、表示欄１１０１中の「ｔａｒｇｅｔ９８」のオリジナルデータプリントサービスを選択し、ＯＫキー１１０６を押下した場合に表示されるオリジナルデータサービス実行画面について、図１６を用いて説明する。
【０１６５】
図１６は本発明の実施形態２のオリジナルデータプリントサービス実行画面の一例を示す図である。
【０１６６】
図１６において、表示欄２１０１が文書ＩＤ、表示欄２１０２が文書ＩＤの取得日時が表示される。ここで、印刷対象の文書ＩＤを選択（ここでは、００００００１８を選択）し、開始キー２１０３を押下することで印刷が開始される。
【０１６７】
文書ＩＤ選択をキャンセルしたい場合は、キャンセルキー２１０４を押下すると、図９Ｂのサービス検索結果画面に復帰する。
【０１６８】
また、文書名設定キー２１０５を押下し、文書ＩＤを所望（任意の）の文書名に設定することが可能である。但し、この場合、文書ＩＤそのものが変更されてしまうわけではなく、エイリアスが設定されているだけである（即ち、オリジナルデータの検索にはエイリアスされた文書ＩＤが使用される）。
【０１６９】
更に、サムネイル表示キー２１０６が、文書ＩＤが選択された状態で押下されると、例えば、図１７にその文書ＩＤに対応するオリジナルデータのサムネイル画像表示画面が表示される。
【０１７０】
ここで、サムネイル画像表示画面について、図１７を用いて説明する。
【０１７１】
図１７は本発明の実施形態２のサムネイル画像表示画面の一例を示す図である。
【０１７２】
図１７において、２２０１は実際のサムネイル画像の表示領域であり、表示領域内にサムネイル画像全体の表示が収まらない場合は、スクロールボタンで上下移動が可能である。２２０２はＯＫキーであり、このキーを押下すると、図１６のオリジナルデータプリントサービス実行画面に復帰する。
【０１７３】
２２０４及び２２０５はズームキーであり、２２０５の上向きのキーを押下すると、表示領域２２０１内のサムネイル画像の表示が大きくなり、下向きのキーを押下すると、表示領域２２０１内のサムネイル画像の表示が小さくなる。
【０１７４】
次に、実施形態２の画像形成装置で実行する処理について、図１８を用いて説明する。
【０１７５】
図１８は本発明の実施形態２の画像形成装置で実行する処理を示すフローチャートである。
【０１７６】
尚、図１８では、特に、第２画像形成装置（画像形成装置１０１）の操作部１５０に表示される、図８の基本画面において、サービス検索キー５９９を押下した後の処理について説明する。
【０１７７】
また、図１８のフローチャートのステップＳ６０１〜ステップＳ６１７は、図１４のステップＳ５０１〜ステップＳ５１７に対応し、その詳細について省略する。特に、図１８では、図１４のフローチャートに対して、ステップＳ６１８及びステップＳ６１９が追加された構成となっている。
【０１７８】
図１８では、ステップＳ５１１で、オリジナルプリントサービスの選択が確定されると、ステップＳ６１２で、図１６のオリジナルデータプリントサービス実行画面を操作部１５０に表示し、サムネイル表示キー２１０６の押下の有無を判定する。サムネイル表示キー２１０６が押下されない場合（ステップＳ２１０６でＮＯ）、ステップＳ６１２に進む。一方、サムネイル表示キー２１０６が押下れた場合（ステップＳ２１０６でＮＯ）、ステップＳ６１９に進む。
【０１７９】
ステップＳ６１９で、図１７のサムネイル画像表示画面を操作部１５０に表示する。そして、ＯＫキー２２０２が押下された場合には、図１６のオリジナルデータプリントサービス実行画面を操作部１５０に表示して、ステップＳ６１２に進む。
【０１８０】
以上説明したように、実施形態２によれば、実施形態１で説明した効果に加えて、処理対象のオリジナルデータの内容（サムネイル画像）を処理前に確認することができるので、操作ミス等を防止することができ、利便性を向上することができる。
【０１８１】
＜実施形態３＞
実施形態１や実施形態２では、処理対象のオリジナルデータに対する処理の指示は、第２画像形成装置から行う構成としているが、第１画像形成装置が、第２画像形成装置から受信したオリジナルデータを検索した時点で、そのオリジナルデータに対する処理の指示を第２画像形成装置に行うことで、処理工数を減少させることができ、システム全体のトータルスループットを向上することができる。
【０１８２】
以下、実施形態３の画像形成装置で実行する処理について、図１９を用いて説明する。
【０１８３】
図１９は本発明の実施形態３の画像形成装置で実行する処理を示すフローチャートである。
【０１８４】
尚、図１９では、特に、第２画像形成装置（画像形成装置１０１）の操作部１５０に表示される、図８の基本画面において、サービス検索キー５９９を押下した後の処理について説明する。
【０１８５】
また、図１９のフローチャートのステップＳ７０１〜ステップＳ７１３及びステップＳ７１６及びステップＳ７１７は、図１４のステップＳ５０１〜ステップＳ５１３及びステップＳ５１６及びステップＳ５１７に対応し、その詳細について省略する。特に、図１９では、図１４のフローチャートに対して、ステップＳ５１４及びステップＳ５１５の代りに、ステップＳ７１８が追加された構成となっている。
【０１８６】
図１９では、ステップＳ７１３で、第１画像形成装置内で、受信した文書ＩＤからオリジナルデータの位置情報（格納先）を特定した後、ステップＳ７１８で、そのオリジナルデータのプリント指示と、そのオリジナルデータを第２画像形成装置に送信する。
【０１８７】
そして、ステップＳ７１６で、第２画像形成装置からプリント指示を受けて、第１画像形成装置は、受信したオリジナルデータの印刷を行う。
【０１８８】
以上説明したように、実施形態３によれば、実施形態１で説明した効果に加えて、第２画像形成装置側で、処理対象（印刷対象）のオリジナルデータを取得する操作を省略することができるので、より効率的に処理を実行することができる。
【０１８９】
＜実施形態４＞
実施形態１〜３では、オリジナルデータは、第１画像形成装置（１００）内のハードディスク１６０に構築されている画像データベースに格納されている構成を説明したが、この画像データベースは、図２０に示すように、第１画像形成装置（１００）及び第２画像形成装置（１０１）がアクセス可能なＬＡＮ４００上の文書管理サーバ１０２等の外部機器に構築されていても良い。
【０１９０】
この場合、第１画像形成装置は、第２画像形成装置から要求される各種サービスの内容に基づいて、適宜、文書管理サーバ１０２にアクセスして、処理対象のオリジナルデータを取得する。あるいは、処理対象のオリジナルデータを第２画像形成装置に送信する指示を文書管理サーバ１０２に送信する構成としても良い。
【０１９１】
以上説明したように、実施形態４によれば、実施形態１で説明した効果に加えて、オリジナルデータを格納する画像データベースを、別途、専用のサーバで管理することで、第１画像形成装置のハードディスク１６０の記憶資源を効率的に利用することができるとともに、第１画像形成装置の処理負荷を軽減することができる。
【０１９２】
以上、実施形態例を詳述したが、本発明は、例えば、システム、装置、方法、プログラムもしくは記憶媒体等としての実施態様をとることが可能であり、具体的には、複数の機器から構成されるシステムに適用しても良いし、また、一つの機器からなる装置に適用しても良い。
【０１９３】
尚、本発明は、前述した実施形態の機能を実現するソフトウェアのプログラム（実施形態では図に示すフローチャートに対応したプログラム）を、システムあるいは装置に直接あるいは遠隔から供給し、そのシステムあるいは装置のコンピュータが該供給されたプログラムコードを読み出して実行することによっても達成される場合を含む。
【０１９４】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【０１９５】
その場合、プログラムの機能を有していれば、オブジェクトコード、インタプリタにより実行されるプログラム、ＯＳに供給するスクリプトデータ等の形態であっても良い。
【０１９６】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【０１９７】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１９８】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１９９】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【０２００】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現される。
【図面の簡単な説明】
【０２０１】
【図１】本発明の実施形態１の画像入出力システムの全体構成を示す図である。
【図２】本発明の実施形態１の制御装置の詳細構成を示す図である。
【図３】本発明の実施形態１のリーダー装置内のリーダー画像処理部の詳細構成を示すブロック図である。
【図４】本発明の実施形態１のスキャナＩ／Ｆの画像処理部の詳細構成を示すブロック図である。
【図５】本発明の実施形態１のプリンタＩ／Ｆの画像処理部の詳細構成を示すブロック図である。
【図６Ａ】本発明の実施形態１の第１画像形成装置のグラフィックプロセッサの詳細構成を示すブロック図である。
【図６Ｂ】本発明の実施形態１の第２画像形成装置のグラフィックプロセッサの詳細構成を示すブロック図である。
【図７Ａ】本発明の実施形態１のハードディスク内のデータ格納領域の構成の一例を示す図である。
【図７Ｂ】本発明の実施形態１の機能データファイルの一例を示す図である。
【図８】本発明の実施形態１の操作部の表示部に表示される基本画面の一例を示す図である。
【図９Ａ】本発明の実施形態１のサービス検索結果画面の一例を示す図である。
【図９Ｂ】本発明の実施形態１のサービス検索結果画面の一例を示す図である。
【図１０】本発明の実施形態１のオリジナルデータ検索サービス実行画面の一例を示す図である。
【図１１】本発明の実施形態１の検索結果画面の一例を示す図である。
【図１２】本発明の実施形態１のオリジナルデータプリントサービス実行画面の一例を示す図である。
【図１３】本発明の実施形態１の印刷結果画面の一例を示す図である。
【図１４】本発明の実施形態１の画像形成装置で実行する処理を示すフローチャートである。
【図１５】本発明の実施形態２の検索結果画面の一例を示す図である。
【図１６】本発明の実施形態２のオリジナルデータプリントサービス実行画面の一例を示す図である。
【図１７】本発明の実施形態２のサムネイル画像表示画面の一例を示す図である。
【図１８】本発明の実施形態２の画像形成装置で実行する処理を示すフローチャートである。
【図１９】本発明の実施形態３の画像形成装置で実行する処理を示すフローチャートである。
【図２０】本発明の実施形態４の画像入出力システムの全体構成を示す図である。
【符号の説明】
【０２０２】
１００、１０１  画像形成装置
１１０  制御装置
１５０  操作部
１６０  ハードディスクドライブ
２００  リーダ部
２１０  スキャナユニット
２５０  原稿給紙ユニット
３００  プリンタ部
３１０  マーキングユニット
３６０  給紙ユニット
３７０  排紙ユニット
４００  ＬＡＮ
【図１】
2006246531.tif 000003
【図２】
2006246531.tif 000004
【図３】
2006246531.tif 000005
【図４】
2006246531.tif 000006
【図５】
2006246531.tif 000007
【図６Ａ】
2006246531.tif 000008
【図６Ｂ】
2006246531.tif 000009
【図７Ａ】
2006246531.tif 000010
【図７Ｂ】
2006246531.tif 000011
【図８】
2006246531.tif 000012
【図９Ａ】
2006246531.tif 000013
【図９Ｂ】
2006246531.tif 000014
【図１０】
2006246531.tif 000015
【図１１】
2006246531.tif 000016
【図１２】
2006246531.tif 000017
【図１３】
2006246531.tif 000018
【図１４】
2006246531.tif 000019
【図１５】
2006246531.tif 000020
【図１６】
2006246531.tif 000021
【図１７】
2006246531.tif 000022
【図１８】
2006246531.tif 000023
【図１９】
2006246531.tif 000024
【図２０】
2006246531.tif 000025